(57)【特許請求の範囲】
【請求項１】
変動電位を基準として動作する半導体装置と、
前記半導体装置の指示に基づいてＬＥＤの駆動電流を生成する駆動電流生成部と、
接地電位を基準とした第１調光電圧から前記変動電位を基準とした第２調光電圧を生成する調光電圧変換部と、
を有し、
前記半導体装置は、前記第２調光電圧に基づいて前記駆動電流生成部の駆動制御を行うものであり、かつ、前記第２調光電圧が所定の閾値電圧を下回ると前記第２調光電圧に応じた前記駆動電流の可変制御が不能となるものであり、
前記調光電圧変換部は、前記第１調光電圧がＬＥＤ調光用の電圧範囲内に設定されている限り、前記第２調光電圧が前記閾値電圧を下回らないように設計されていることを特徴とする駆動電流生成回路。
【請求項２】
前記調光電圧変換部は、
前記第１調光電圧を調光電流に変換する電圧／電流変換部と、
前記調光電流を前記第２調光電圧に変換する電流／電圧変換部と、
を含むことを特徴とする請求項１に記載の駆動電流生成回路。
【請求項３】
前記電圧／電流変換部は、定電圧と前記第１調光電圧との差電圧に応じて入力側に流れる電流をミラーして出力側に前記調光電流を生成するカレントミラー部を含むことを特徴とする請求項２に記載の駆動電流生成回路。
【請求項４】
前記電流／電圧変換部は、前記第２調光電圧の印加端と前記変動電位の印加端との間に接続されて前記調光電流が流される抵抗を含むことを特徴とする請求項２または請求項３に記載の駆動電流生成回路。
【請求項５】
前記調光電圧変換部は、前記第１調光電圧がＬＥＤオフ用の電圧値に設定されたとき、前記第２調光電圧がゼロ値となるように設計されていることを特徴とする請求項１〜請求項４のいずれか一項に記載の駆動電流生成回路。
【請求項６】
前記駆動電流生成部は、
ドレインが入力電圧の印加端に接続され、ソースが駆動電流検出電圧の印加端に接続され、ゲートがゲート電圧の印加端に接続されたトランジスタと；
第１端が前記トランジスタのソースに接続され、第２端が前記変動電位の印加端に接続された駆動電流検出抵抗と；
第１端が前記変動電位の印加端に接続され、第２端が前記ＬＥＤのアノードに接続されたコイルと；
第１端が前記ＬＥＤのアノードに接続され、第２端が前記ＬＥＤのカソードに接続されたキャパシタと；
カソードが前記トランジスタのソースに接続され、アノードが前記ＬＥＤのカソードに接続されたダイオードと；
を含み、
前記半導体装置は、前記駆動電流検出電圧と参照電圧を一致させるように前記ゲート電圧を生成する際、前記駆動電流検出電圧または前記参照電圧に対して前記第２調光電圧に応じたオフセットを与えることを特徴とする請求項１〜請求項５のいずれかに記載の駆動電流生成回路。
【請求項７】
前記半導体装置は、前記入力電圧の供給を受けて動作することを特徴とする請求項６に記載の駆動電流生成回路。
【請求項８】
交流入力電圧に重畳するノイズやサージを除去するフィルタ回路と、
前記交流入力電圧を第１直流電圧に変換するＡＣ／ＤＣ変換回路と、
力率改善を行いながら前記第１直流電圧を昇圧して第２直流電圧を生成する力率改善回路と、
前記第２直流電圧を降圧して第３直流電圧を生成するＤＣ／ＤＣ変換回路と、
前記入力電圧として前記第３直流電圧の供給を受ける請求項７に記載の駆動電流生成回路と、
をプリント配線基板上に搭載して成ることを特徴とするＬＥＤ電源モジュール。
【請求項９】
前記ＤＣ／ＤＣ変換回路は、トランスを含むことを特徴とする請求項８に記載のＬＥＤ電源モジュール。
【請求項１０】
前記トランスは、前記プリント配線基板に対して水平に伸びる巻線端末巻付ピンを有することを特徴とする請求項９に記載のＬＥＤ電源モジュール。
【請求項１１】
前記トランスは、前記プリント配線基板に対して垂直に伸びる端子ピンを有することを特徴とする請求項１０に記載のＬＥＤ電源モジュール。
【請求項１２】
前記巻線端末巻付ピンと前記端子ピンは、Ｌ字状の導電性部材として一体的に成形されていることを特徴とする請求項１１に記載のＬＥＤ電源モジュール。
【請求項１３】
前記巻線端末巻付ピンは、前記トランスの基台部側面から突出されており、
巻線端末は、前記基台部側面に形成された溝部を介して前記巻線端末巻付ピンに巻き付けられていることを特徴とする請求項１０〜請求項１２のいずれかに記載のＬＥＤ電源モジュール。
【請求項１４】
前記巻線端末は、前記巻線端末巻付ピンの上側を起点として巻き付けられていることを特徴とする請求項１３に記載のＬＥＤ電源モジュール。
【請求項１５】
ＬＥＤモジュールと、
前記ＬＥＤモジュールに電力供給を行う請求項８〜請求項１４のいずれかに記載のＬＥＤ電源モジュールと、
を有することを特徴とするＬＥＤランプ。
【請求項１６】
リモコン信号に応じた前記第１調光電圧を前記ＬＥＤ電源モジュールに出力する制御電源モジュールと、
リモートコントローラからのリモコン信号を受信して前記制御電源モジュールに伝達するリモコン信号受信モジュールと、
をさらに有することを特徴とする請求項１５に記載のＬＥＤランプ。
【請求項１７】
前記ＬＥＤモジュール、前記ＬＥＤ電源モジュール、前記制御電源モジュール、及び、前記リモコン信号受信モジュールを収納するカバーをさらに有することを特徴とする請求項１６に記載のＬＥＤランプ。
【請求項１８】
前記ＬＥＤモジュールは、前記カバーの形状に沿って並べられていることを特徴とする請求項１７に記載のＬＥＤランプ。
【請求項１９】
前記カバーは、円形状の部材であり、
前記ＬＥＤ電源モジュール、前記制御電源モジュール、及び、前記リモコン信号受信モジュールは、前記ＬＥＤモジュールよりも内側のスペースに配置されていることを特徴とする請求項１８に記載のＬＥＤランプ。
【請求項２０】
前記ＬＥＤモジュールとして、発光色の異なる複数のＬＥＤモジュールを含み、
前記ＬＥＤ電源モジュールとして、前記複数のＬＥＤモジュールに対してそれぞれ電力供給を行う複数のＬＥＤ電源モジュールを含むことを特徴とする請求項１５〜請求項１９のいずれかに記載のＬＥＤランプ。
【請求項２１】
前記制御電源モジュールは、
前記リモコン信号の受信動作や前記第１調光電圧の生成動作を制御するマイコンと、
前記交流入力電圧を直流電圧に変換して前記マイコンに供給するマイコン用電源と、
前記マイコン用電源の出力端に接続された出力キャパシタと、
を含むことを特徴とする請求項１６に記載のＬＥＤランプ。
【請求項２２】
ＬＥＤモジュールと、
前記ＬＥＤモジュールに電力供給を行うＬＥＤ電源モジュールと、
リモコン信号に応じた第１調光電圧を前記ＬＥＤ電源モジュールに出力する制御電源モジュールと、
リモートコントローラからのリモコン信号を受信して前記制御電源モジュールに伝達するリモコン信号受信モジュールと、
交流入力電圧の印加端と前記ＬＥＤ電源モジュールとの間を導通／遮断するリレースイッチと、
を有するＬＥＤランプであって、
前記ＬＥＤ電源モジュールは、
前記交流入力電圧に重畳するノイズやサージを除去するフィルタ回路と、
前記交流入力電圧を第１直流電圧に変換するＡＣ／ＤＣ変換回路と、
力率改善を行いながら前記第１直流電圧を昇圧して第２直流電圧を生成する力率改善回路と、
前記第２直流電圧を降圧して第３直流電圧を生成するＤＣ／ＤＣ変換回路と、
前記第３直流電圧の供給を受ける駆動電流生成回路と、
をプリント配線基板上に搭載して成り、
前記駆動電流生成回路は、
変動電位を基準として動作する半導体装置と、
前記半導体装置の指示に基づいて前記ＬＥＤモジュールの駆動電流を生成する駆動電流生成部と、
接地電位を基準とした第１調光電圧から前記変動電位を基準とした第２調光電圧を生成する調光電圧変換部と、
を含み、
前記半導体装置は、前記第２調光電圧に基づいて前記駆動電流生成部の駆動制御を行うものであり、
前記駆動電流生成部は、
ドレインが前記第３直流電圧の印加端に接続され、ソースが駆動電流検出電圧の印加端に接続され、ゲートがゲート電圧の印加端に接続されたトランジスタと；
第１端が前記トランジスタのソースに接続され、第２端が前記変動電位の印加端に接続された駆動電流検出抵抗と；
第１端が前記変動電位の印加端に接続され、第２端が前記ＬＥＤモジュールのアノードに接続されたコイルと；
第１端が前記ＬＥＤモジュールのアノードに接続され、第２端が前記ＬＥＤモジュールのカソードに接続されたキャパシタと；
カソードが前記トランジスタのソースに接続され、アノードが前記ＬＥＤモジュールのカソードに接続されたダイオードと；
を含み、
前記半導体装置は、前記第３直流電圧の供給を受けて動作し、前記駆動電流検出電圧と参照電圧を一致させるように前記ゲート電圧を生成する際、前記駆動電流検出電圧または前記参照電圧に対して前記第２調光電圧に応じたオフセットを与えるものであり、
前記制御電源モジュールは、
前記リモコン信号の受信動作や前記第１調光電圧の生成動作を制御するマイコンと、
前記交流入力電圧を直流電圧に変換して前記マイコンに供給するマイコン用電源と、
前記マイコン用電源の出力端に接続された出力キャパシタと、
を含み、
前記マイコンは、前記ＬＥＤモジュールをオフする際、前記第２調光電圧をＬＥＤ調光用の下限値まで引き下げてから前記第２調光電圧をゼロ値とするように前記第１調光電圧を可変制御した後、前記リレースイッチをオフさせることを特徴とするＬＥＤランプ。
【発明の詳細な説明】
【技術分野】
【０００１】
本発明は、ＬＥＤ［light emitting diode］の駆動電流を生成する駆動電流生成回路、並びに、これを用いたＬＥＤ電源モジュール及びＬＥＤランプに関するものである。
【背景技術】
【０００２】
近年、白熱電球や蛍光灯に代わる光源として、長寿命で省電力のＬＥＤランプ（白熱電球型、蛍光灯型、シーリングライト型など）が普及し始めている。
【０００３】
なお、上記に関連する従来技術の一例としては、特許文献１を挙げることができる。
【先行技術文献】
【特許文献】
【０００４】
【特許文献１】特開２０１０−１１０１５７号公報
【発明の概要】
【発明が解決しようとする課題】
【０００５】
しかしながら、ＬＥＤランプの小型化や薄型化（延いては、ＬＥＤに電力供給を行う電源モジュールの小型化や薄型化）を実現するためには、解決すべき種々の課題があった。
【０００６】
本発明は、本願の発明者により見出された上記の問題点に鑑み、ＬＥＤランプの小型化や薄型化に寄与し得る駆動電流生成回路、並びに、これを用いたＬＥＤ電源モジュール及びＬＥＤランプを提供することを目的とする。
【課題を解決するための手段】
【０００７】
上記目的を達成するために、本発明に係る駆動電流生成回路は、変動電圧を基準として動作する半導体装置と、前記半導体装置の指示に基づいてＬＥＤの駆動電流を生成する駆動電流生成部と、接地電圧を基準とした第１調光電圧から前記変動電圧を基準とした第２調光電圧を生成する調光電圧変換部と、を有し、前記半導体装置は、前記第２調光電圧に基づいて前記駆動電流生成部の駆動制御を行う構成（第１の構成）とされている。
【０００８】
なお、上記第１の構成から成る駆動電流生成回路において、前記調光電圧変換部は、前記第１調光電圧を調光電流に変換する電圧／電流変換部と、前記調光電流を前記第２調光電圧に変換する電流／電圧変換部と、を含む構成（第２の構成）にするとよい。
【０００９】
また、上記第２の構成から成る駆動電流生成回路において、前記電圧／電流変換部は、定電圧と前記第１調光電圧との差電圧に応じて入力側に流れる電流をミラーして出力側に前記調光電流を生成するカレントミラー部を含む構成（第３の構成）にするとよい。
【００１０】
また、上記第２または第３の構成から成る駆動電流生成回路において、前記電流／電圧変換部は、前記第２調光電圧の印加端と前記変動電圧の印加端との間に接続されて前記調光電流が流される抵抗を含む構成（第４の構成）にするとよい。
【００１１】
なお、上記第１〜第４いずれかの構成から成る駆動電流生成回路において、前記半導体装置は、前記第２調光電圧が所定の閾値電圧を下回ると前記第２調光電圧に応じた前記駆動電流の可変制御が不能となるものであり、前記調光電圧変換部は、前記第１調光電圧がＬＥＤ調光用の電圧範囲内に設定されている限り、前記第２調光電圧が前記閾値電圧を下回らないように設計されている構成（第５の構成）にするとよい。
【００１２】
また、上記第５の構成から成る駆動電流生成回路において、前記調光電圧変換部は、前記第１調光電圧がＬＥＤオフ用の電圧値に設定されたとき、前記第２調光電圧がゼロ値となるように設計されている構成（第６の構成）にするとよい。
【００１３】
また、上記第１〜第６いずれかの構成から成る駆動電流生成回路において、前記駆動電流生成部は、ドレインが入力電圧の印加端に接続され、ソースが駆動電流検出電圧の印加端に接続され、ゲートがゲート電圧の印加端に接続されたトランジスタと；第１端が前記トランジスタのソースに接続され、第２端が前記変動電圧の印加端に接続された駆動電流検出抵抗と；第１端が前記変動電圧の印加端に接続されて、第２端が前記ＬＥＤのアノードに接続されたコイルと；第１端が前記ＬＥＤのアノードに接続され、第２端が前記ＬＥＤのカソードに接続されたキャパシタと；カソードが前記トランジスタのソースに接続されて、アノードが前記ＬＥＤのカソードに接続されたダイオードと；を含み、前記半導体装置は、前記駆動電流検出電圧と参照電圧を一致させるように前記ゲート電圧を生成する際、前記駆動電流検出電圧または前記参照電圧に対して前記第２調光電圧に応じたオフセットを与える構成（第７の構成）にするとよい。
【００１４】
また、上記第７の構成から成る駆動電流生成回路において、前記半導体装置は、前記入力電圧の供給を受けて動作する構成（第８の構成）にするとよい。
【００１５】
また、本発明に係るＬＥＤ電源モジュールは、交流入力電圧に重畳するノイズやサージを除去するフィルタ回路と、前記交流入力電圧を第１直流電圧に変換するＡＣ／ＤＣ変換回路と、力率改善を行いつつ前記第１直流電圧を昇圧して第２直流電圧を生成する力率改善回路と、前記第２直流電圧を降圧して第３直流電圧を生成するＤＣ／ＤＣ変換回路と、前記入力電圧として前記第３直流電圧の供給を受ける上記第８の構成から成る駆動電流生成回路と、をプリント配線基板上に搭載して成る構成（第９の構成）とされている。
【００１６】
なお、上記第９の構成から成るＬＥＤ電源モジュールにおいて、前記ＤＣ／ＤＣ変換回路は、トランスを含む構成（第１０の構成）にするとよい。
【００１７】
また、上記第１０の構成から成るＬＥＤ電源モジュールにおいて、前記トランスは、前記プリント配線基板に対し水平に伸びる巻線端末巻付ピンを有する構成（第１１の構成）にするとよい。
【００１８】
また、上記第１１の構成から成るＬＥＤ電源モジュールにおいて、前記トランスは、前記プリント配線基板に対して垂直に伸びる端子ピンを有する構成（第１２の構成）にするとよい。
【００１９】
また、上記第１２の構成から成るＬＥＤ電源モジュールにおいて、前記巻線端末巻付ピンと前記端子ピンは、Ｌ字状の導電性部材として一体的に成形されている構成（第１３の構成）にするとよい。
【００２０】
また、上記第１１〜第１３いずれかの構成から成るＬＥＤ電源モジュールにおいて、前記巻線端末巻付ピンは、前記トランスの基台部側面から突出されており、巻線端末は、前記基台部側面に形成された溝部を介して前記巻線端末巻付ピンに巻き付けられている構成（第１４の構成）にするとよい。
【００２１】
また、上記第１４の構成から成るＬＥＤ電源モジュールにおいて、前記巻線端末は、前記巻線端末巻付ピンの上側を起点として巻き付けられている構成（第１５の構成）にするとよい。
【００２２】
また、本発明に係るＬＥＤランプは、ＬＥＤモジュールと、前記ＬＥＤモジュールに電力供給を行う上記第９〜第１５いずれかの構成から成るＬＥＤ電源モジュールと、を有する構成（第１６の構成）とされている。
【００２３】
なお、上記第１６の構成から成るＬＥＤランプは、リモコン信号に応じた前記第１調光電圧を前記ＬＥＤ電源モジュールに出力する制御電源モジュールと、リモートコントローラからのリモコン信号を受信して前記制御電源モジュールに伝達するリモコン信号受信モジュールと、をさらに有する構成（第１７の構成）にするとよい。
【００２４】
また、上記第１７の構成から成るＬＥＤランプは、前記ＬＥＤモジュール、前記ＬＥＤ電源モジュール、前記制御電源モジュール、及び、前記リモコン信号受信モジュールを収納するカバーをさらに有する構成（第１８の構成）にするとよい。
【００２５】
また、上記第１８の構成から成るＬＥＤランプにおいて、前記ＬＥＤモジュールは、前記カバーの形状に沿って並べられている構成（第１９の構成）にするとよい。
【００２６】
また、上記第１９の構成から成るＬＥＤランプにおいて、前記カバーは円形状の部材であり、前記ＬＥＤ電源モジュール、前記制御電源モジュール、及び、前記リモコン信号受信モジュールは、前記ＬＥＤモジュールよりも内側のスペースに配置されている構成（第２０の構成）にするとよい。
【００２７】
また、上記第１６〜第２０いずれかの構成から成るＬＥＤランプは、前記ＬＥＤモジュールとして、発光色の異なる複数のＬＥＤモジュールを含み、前記ＬＥＤ電源モジュールとして、前記複数のＬＥＤモジュールに対してそれぞれ電力供給を行う複数のＬＥＤ電源モジュールを含む構成（第２１の構成）にするとよい。
【００２８】
また、上記第１７の構成から成るＬＥＤランプにおいて、前記制御電源モジュールは、前記リモコン信号の受信動作や前記第１調光電圧の生成動作を制御するマイコンと、前記交流入力電圧を直流電圧に変換して前記マイコンに供給するマイコン用電源と、前記マイコン用電源の出力端に接続された出力キャパシタと、を含む構成（第２２の構成）にするとよい。
【００２９】
また、上記第２２の構成から成るＬＥＤランプは、前記交流入力電圧の印加端と前記ＬＥＤ電源モジュールとの間を導通／遮断するリレースイッチをさらに有し、前記マイコンは、前記ＬＥＤをオフする際、前記第２調光電圧をＬＥＤ調光用の下限値まで引き下げてから前記第２調光電圧をゼロ値とするように前記第１調光電圧を可変制御した後、前記リレースイッチをオフさせる構成（第２３の構成）にするとよい。
【発明の効果】
【００３０】
本発明によれば、ＬＥＤランプの小型化や薄型化に寄与し得る駆動電流生成回路、並びに、これを用いた電源モジュール及びＬＥＤランプを提供することが可能となる。
【図面の簡単な説明】
【００３１】
【図１】ＬＥＤランプ１の一構成例を示すブロック図
【図２】ＬＥＤランプ１の一構成例を示す外形図
【図３】駆動電流生成回路２５の第１構成例を示す回路図
【図４】駆動電流生成回路２５の第２構成例を示す回路図
【図５】駆動電流生成回路２５の第３構成例を示す回路図
【図６Ａ】第２調光電圧Ｖｄ２と駆動電流ＩＬＥＤとの相関図
【図６Ｂ】第１調光電圧Ｖｄ１と第２調光電圧Ｖｄ２との相関図
【図７】ＬＥＤランプ１の一変形例を示すブロック図
【図８】トランス１００の正面図
【図９】トランス２００の上面図
【図１０】トランス２００の正面図
【図１１】トランス２００の側面図
【図１２】トランス２００の下面図
【図１３】トランス２００を下面から見たときの断面図
【図１４】トランス２００の正面から見たときの断面図
【図１５】トランス２００の結線図
【発明を実施するための形態】
【００３２】
＜ＬＥＤランプ＞
図１は、ＬＥＤランプ１の一構成例を示すブロック図である。本構成例のＬＥＤランプ１は、ＬＥＤモジュール１０と、ＬＥＤ電源モジュール２０と、を有する。
【００３３】
ＬＥＤモジュール１０は、昼光色（色温度５０００Ｋ程度）や電球色（色温度３０００Ｋ程度）の光を発するＬＥＤランプ１の光源であり、直列ないしは並列に接続された複数のＬＥＤ素子を含む。
【００３４】
ＬＥＤ電源モジュール２０は、商用交流電源３０からの交流入力電圧Ｖｉｎ（例えばＡＣ８０〜２６４Ｖ）を直流出力電圧Ｖｏｕｔ（例えばＤＣ６０〜９０Ｖ）に変換してＬＥＤモジュール１０に供給する。ＬＥＤ電源モジュール２０は、フィルタ回路２１と、ＡＣ／ＤＣ変換回路２２と、力率改善回路２３（以下、ＰＦＣ［power factor correction］回路２３と呼ぶ）と、ＤＣ／ＤＣ変換回路２４と、駆動電流生成回路２５と、入力コネクタ２６と、出力コネクタ２７と、をプリント配線基板上に搭載して成る。
【００３５】
フィルタ回路２１は、交流入力電圧Ｖｉｎに重畳するノイズやサージを除去する。
【００３６】
ＡＣ／ＤＣ変換回路２２は、フィルタ回路２１を介して入力される交流入力電圧Ｖｉｎを直流電圧Ｖ１（ＤＣ１１３〜３７３Ｖ）に変換する。
【００３７】
ＰＦＣ回路２３は、力率改善を行いながら直流電圧Ｖ１を昇圧して直流電圧Ｖ２（例えばＤＣ４００Ｖ）を生成する。
【００３８】
ＤＣ／ＤＣ変換回路２４は、直流電圧Ｖ２を降圧して直流電圧Ｖ３（例えばＤＣ１１０〜１２０Ｖ）を生成する。
【００３９】
駆動電流生成回路２５は、直流電圧Ｖ３の供給を受けてＬＥＤモジュール１０に流れる駆動電流ＩＬＥＤが所定の目標値と一致するように、駆動電流ＩＬＥＤのフィードバック制御を行う。なお、駆動電流生成回路２５の回路構成については後ほど詳細に説明する。
【００４０】
入力コネクタ２６は、商用交流電源３０からの交流入力電圧Ｖｉｎをフィルタ回路２１に供給する。
【００４１】
出力コネクタ２７は、駆動電流生成回路２５からの直流出力電圧Ｖｏｕｔ（例えばＤＣ６０〜９０Ｖ）をＬＥＤモジュール１０に供給する。
【００４２】
図２はＬＥＤランプ１の一構成例を示す外形図である。ＬＥＤランプ１は、シーリングライトの光源として用いられるものであり、ＬＥＤモジュール１０と、ＬＥＤ電源モジュール２０と、制御電源モジュール４０と、リモコン信号受信モジュール５０と、カバー６０と、を含む。
【００４３】
ＬＥＤモジュール１０としては、昼光色のＬＥＤモジュール１０Ｗと、電球色のＬＥＤモジュール１０Ｙと、が含まれている。このように、異なる発光色のＬＥＤモジュール１０Ｗ及び１０Ｙを含む構成であれば、各々の調光制御を行うことにより、ＬＥＤランプ１全体としての調色制御を行うことが可能となる。なお、図２では、カバー６０の円形状に沿ってＬＥＤモジュール１０ＷとＬＥＤモジュール１０Ｙが交互かつ１列に並べられている構成が描写されているが、ＬＥＤモジュール１０ＷとＬＥＤモジュール１０Ｙの配列形態については、これに限定されるものではない。
【００４４】
ＬＥＤ電源モジュール２０としては、ＬＥＤモジュール１０Ｗに電力供給を行うＬＥＤ電源モジュール２０Ｗと、ＬＥＤモジュール１０Ｙに電力供給を行うＬＥＤ電源モジュール２０Ｙと、が含まれている。なお、各モジュールの構成は、図１に示した通りである。
【００４５】
制御電源モジュール４０は、リモコン信号に応じた調光電圧ＶｄＷ及びＶｄＹ（例えば０〜５Ｖ）をそれぞれＬＥＤ電源モジュール２０Ｗ及び２０Ｙに出力する。
【００４６】
リモコン信号受信モジュール５０は、リモートコントローラ（不図示）からのリモコン信号（赤外線信号や無線信号など）を受信して制御電源モジュール４０に伝達する。
【００４７】
カバー６０は、ＬＥＤモジュール１０Ｗ及び１０Ｙ、ＬＥＤ電源モジュール２０Ｗ及び２０Ｙ、制御電源モジュール４０、並びに、リモコン信号受信モジュール５０を収納する円形の部材である。なお、ＬＥＤ電源モジュール２０Ｗ及び２０Ｙ、制御電源モジュール４０、並びに、リモコン信号受信モジュール５０は、ＬＥＤモジュール１０Ｗ及び１０Ｙよりも内側のスペースに配置されている。
【００４８】
＜駆動電流生成回路＞
図３は駆動電流生成回路２５の第１構成例を示す回路図である。第１構成例の駆動電流生成回路２５は、半導体装置Ａと、Ｎチャネル型ＭＯＳ［metal oxide semiconductor］電界効果トランジスタＮ１１と、ｎｐｎ型バイポーラトランジスタＱ１１と、抵抗Ｒ１１〜Ｒ１３と、キャパシタＣ１１及びＣ１２と、ダイオードＤ１１〜Ｄ１３と、ツェナダイオードＺＤと、トランスＴＲと、を含む。
【００４９】
直流電圧Ｖ３の印加端は、出力コネクタ２７の正極端子（ＬＥＤモジュール１０のアノード）に接続されている。抵抗Ｒ１２の第１端は、直流電圧Ｖ３の印加端に接続されている。抵抗Ｒ１２の第２端は、トランジスタＱ１１のベースとツェナダイオードＺＤのカソードに接続されている。ツェナダイオードＺＤのアノードは、接地端に接続されている。抵抗Ｒ１３の第１端は、直流電圧Ｖ３の印加端に接続されている。抵抗Ｒ１３の第２端はトランジスタＱ１１のコレクタに接続されている。トランジスタＱ１１のエミッタは、半導体装置ＡのＶＩＮ端子（電源入力端子）に接続されている。ダイオードＤ１２のカソードは、半導体装置ＡのＶＩＮ端子に接続されている。ダイオードＤ１２のアノードは、接地端に接続されている。
【００５０】
キャパシタＣ１１の第１端は、出力コネクタ２７の正極端子（ＬＥＤモジュール１０のアノード）に接続されている。キャパシタＣ１１の第２端は、出力コネクタ２７の負極端子（ＬＥＤモジュール１０のカソード）に接続されている。トランスＴＲを形成する一次巻線Ｌ１１の第１端は、出力コネクタ２７の負極端子に接続されている。一次巻線Ｌ１１の第２端は、ダイオードＤ１１のアノードとトランジスタＮ１１のドレインに接続されている。ダイオードＤ１１のカソードは、出力コネクタ２７の正極端子に接続されている。トランスＴＲを形成する二次巻線Ｌ１２の第１端は、ダイオードＤ１３のアノードに接続されている。二次巻線Ｌ１２の第２端は、接地端に接続されている。ダイオードＤ１３のカソードは、半導体装置ＡのＶＩＮ端子に接続されている。キャパシタＣ１２は、ダイオードＤ１３のカソードと接地端との間に接続されている。
【００５１】
トランジスタＮ１１のソースは、抵抗Ｒ１１を介して接地端に接続される一方、半導体装置ＡのＣＳ端子（駆動電流検出端子）にも接続されている。トランジスタＮ１１のゲートは半導体装置ＡのＧＤ端子（ゲート駆動端子）に接続されている。半導体装置ＡのＧＮＤ端子（グランド端子）は、調光コネクタ２８の負極端子（接地端）に接続されている。半導体装置ＡのＬＤ端子（リニア調光端子）は、調光コネクタ２８の正極端子（調光電圧Ｖｄの印加端）に接続されている。
【００５２】
トランジスタＮ１１は、ＬＥＤモジュール１０のカソードから接地端に至る電流経路を導通／遮断するスイッチ素子である。半導体装置Ａは、トランジスタＮ１１及び抵抗Ｒ１１を介して接地端に流れる電流（ＬＥＤモジュール１０の駆動電流ＩＬＥＤ）が目標値と一致するようにトランジスタＮ１１のオン／オフ制御を行う。
【００５３】
具体的に述べると、半導体装置Ａは、ＣＳ端子に印加される駆動電流検出電圧Ｖｍと所定の参照電圧Ｖｒｅｆとが一致するようにトランジスタＮ１１のオン／オフ制御（ゲート電圧Ｖｇの生成制御）を行う。その際、半導体装置Ａは、駆動電流検出電圧Ｖｍまたは参照電圧Ｖｒｅｆに対して、ＬＤ端子に印加される調光電圧Ｖｄに応じたオフセットを与える。このような構成とすることにより、調光電圧Ｖｄに応じたＬＥＤランプ１のリニア調光制御を行うことが可能となる。
【００５４】
なお、トランジスタＮ１１がオンされているときには、直流電圧Ｖ３の印加端からＬＥＤモジュール１０、トランスＴＲの一次巻線Ｌ１１、トランジスタＮ１１、及び、抵抗Ｒ１１を介して接地端に向けた駆動電流ＩＬＥＤが流れる。一方、トランジスタＮ１１がオフされているときには、トランスＴＲの一次巻線Ｌ１１、ダイオードＤ１１、及び、ＬＥＤモジュール１０を介してループ状に駆動電流ＩＬＥＤが流れる。
【００５５】
トランジスタＱ１１、抵抗Ｒ１２及びＲ１３、ダイオードＤ１２、並びに、ツェナダイオードＺＤは、半導体装置Ａの起動時に直流電圧Ｖ３の印加端からキャパシタＣ１２の充電電流を引き込んで、半導体装置Ａの電源電圧Ｖ４を生成する簡易レギュレータ（エミッタフォロワ）として機能する。トランスＴＲは、ＬＥＤモジュール１０に流れる駆動電流ＩＬＥＤを利用して半導体装置Ａへの電力供給を行う。従って、半導体装置Ａの起動後には、トランスＴＲの二次巻線Ｌ１２からダイオードＤ１３を介する電流経路でキャパシタＣ１２の充電動作が行われ、半導体装置Ａへの電力供給が継続される。なお、トランスＴＲの巻線比については、半導体装置Ａを動作させるために必要な電源電圧Ｖ４を鑑みて適宜設定すればよい。
【００５６】
ところで、第１構成例の駆動電流生成回路２５において、半導体装置Ａは、ＧＮＤ端子に印加される接地電圧（０Ｖ）を基準として動作する。そのため、半導体装置Ａの素子耐圧は、ＶＩＮ端子とＧＮＤ端子との間に印加される端子間電圧を考慮して設計しなければならない。仮に直流電圧Ｖ３（例えばＤＣ１１０〜１２０Ｖ）をＶＩＮ端子に入力する場合には、半導体装置Ａを高耐圧化しておかなければならないので、半導体装置Ａが極めて大型となる。そこで、第１構成例の駆動電流生成回路２５では、直流電圧Ｖ３よりも十分に低い電源電圧Ｖ４（５Ｖ程度）を生成するディスクリート電源回路（Ｑ１１、Ｒ１２、Ｒ１３、Ｄ１２、ＺＤ、ＴＲなど）を用意しておくことにより、半導体装置Ａの低耐圧化が実現されていた。しかしながら、第１構成例の駆動電流生成回路２５では、半導体装置Ａの大型化を回避し得る反面、これに外付けされるディスクリート電源回路の分だけ駆動電流生成回路２５の回路規模が大きくなる、という課題が残されていた。
【００５７】
図４は駆動電流生成回路２５の第２構成例を示す回路図である。第２構成例の駆動電流生成回路２５は、半導体装置Ｘと、Ｎチャネル型ＭＯＳ電界効果トランジスタＮ２１と、抵抗Ｒ２１と、コイルＬ２１と、キャパシタＣ２１と、ダイオードＤ２１及びＤ２２と、を含む。
【００５８】
トランジスタＮ２１のドレインは直流電圧Ｖ３の印加端に接続されている。トランジスタＮ２１のソースは、抵抗Ｒ２１の第１端に接続されている。トランジスタ２１のゲートは、半導体装置ＸのＧＤ端子（ゲート駆動端子）に接続されている。抵抗Ｒ２１の第１端は、半導体装置ＸのＣＳ端子（駆動電流検出端子）に接続されている。抵抗Ｒ２１の第２端は、半導体装置ＸのＧＮＤ端子（グランド端子）に接続されている。コイルＬ２１の第１端は、半導体装置ＸのＧＮＤ端子に接続されている。コイルＬ２１の第２端は、出力コネクタ２７の正極端子（ＬＥＤモジュール１０のアノード）に接続されている。キャパシタＣ２１の第１端は、出力コネクタ２７の正極端子に接続されている。キャパシタＣ２１の第２端は、出力コネクタ２７の負極端子（ＬＥＤモジュール１０のカソード）に接続されている。ダイオードＤ２１のカソードは、トランジスタＮ２１のソースに接続されている。ダイオードＤ２１のアノードは、出力コネクタ２７の負極端子に接続されている。ダイオードＤ２２のカソードは、半導体装置ＸのＶＩＮ端子（電源入力端子）に接続されている。ダイオードＤ２２のアノードは、直流電圧Ｖ３の印加端に接続されている。出力コネクタ２７の負極端子は接地端に接続されている。半導体装置ＸのＬＤ端子（リニア調光端子）は、調光コネクタ２８の正極端子（調光電圧Ｖｄ１の印加端）に接続されている。調光コネクタ２８の負極端子は、接地端に接続されている。
【００５９】
上記構成要素のうち、トランジスタＮ２１、抵抗Ｒ２１、コイルＬ２１、キャパシタＣ２１、及び、ダイオードＤ２１は、半導体装置Ｘの指示に基づいてＬＥＤモジュール１０の駆動電流ＩＬＥＤを生成する駆動電流生成部Ｙとして機能する。
【００６０】
トランジスタＮ２１は、直流電圧Ｖ３の印加端からＬＥＤモジュール１０のアノードに至る電流経路を導通／遮断するスイッチ素子である。半導体装置Ｘは、抵抗Ｒ２１を介して流れる電流（ＬＥＤモジュール１０の駆動電流ＩＬＥＤ）が目標値と一致するようにトランジスタＮ２１のオン／オフ制御を行う。
【００６１】
具体的に述べると、半導体装置Ｘは、ＣＳ端子に印加される駆動電流検出電圧Ｖｍと所定の参照電圧Ｖｒｅｆとが一致するようにトランジスタＮ２１のオン／オフ制御（ゲート電圧Ｖｇの生成制御）を行う。
【００６２】
なお、トランジスタＮ２１がオンされているときには、直流電圧Ｖ３の印加端からトランジスタＮ２１、抵抗Ｒ２１、コイルＬ２１、及び、ＬＥＤモジュール１０を介して接地端に向けた駆動電流ＩＬＥＤが流れる。一方、トランジスタＮ２１がオフされているときには、ダイオードＤ２１、抵抗Ｒ２１、コイルＬ２１、及び、ＬＥＤモジュール１０を介してループ状に駆動電流ＩＬＥＤが流れる。
【００６３】
ところで、第２構成例の駆動電流生成回路２５において、半導体装置ＸのＧＮＤ端子には、接地電圧（０Ｖ）ではなく変動電圧Ｖａが印加されている。この変動電圧Ｖａは、抵抗Ｒ２１とコイルＬ２１との接続点に現れるノード電圧であり、トランジスタＮ２１のスイッチング動作に応じて接地電圧（０Ｖ）に対する電圧値が変動する。
【００６４】
変動電圧Ｖａを基準として動作する半導体装置Ｘであれば、接地電圧（０Ｖ）を基準として動作する半導体装置Ａ（図３を参照）と異なり、直流電圧Ｖ３をＶＩＮ端子に印加したとしても、ＶＩＮ端子とＧＮＤ端子との間に印加される端子間電圧はさほど大きくならないので、半導体装置Ｘの素子耐圧を不要に高耐圧化せずに済む。従って、第２構成例の駆動電流生成回路２５では、図３のディスクリート電源回路（Ｑ１１、Ｒ１２、Ｒ１３、Ｄ１２、ＺＤ、ＴＲなど）を取り除くことができるので、駆動電流生成回路２５の回路規模縮小（延いては、電源モジュール２０の小型化）を実現することが可能となる。
【００６５】
ただし、変動電圧Ｖａを基準として動作する半導体装置Ｘでは、たとえ図４で示したように、接地電圧（０Ｖ）を基準とする調光電圧ＶｄがＬＤ端子に印加されたとしても、ＬＥＤランプ１のリニア調光制御を正しく行うことができない、という課題があった。これは、調光電圧Ｖｄが変動電圧Ｖａを基準として設定された電圧ではないということに起因している。
【００６６】
図５は、駆動電流生成回路２５の第３構成例を示す回路図である。第３構成例の駆動電流生成回路２５は、基本的に第２構成例と同様の構成であり、調光電圧変換部Ｚをさらに含む点に特徴を有している。そこで、第２構成例と同様の構成部分については、図４と同一符号を付すことで重複した説明を割愛し、以下では、第３構成例の特徴部分についての重点的な説明を行う。
【００６７】
調光電圧変換部Ｚは、接地電圧（０Ｖ）を基準とした第１調光電圧Ｖｄ１から変動電圧Ｖａを基準とした第２調光電圧Ｖｄ２を生成する回路ブロックであり、カレントミラー部ＣＭ１〜ＣＭ３と、抵抗Ｒ２２と、を含む。
【００６８】
カレントミラー部ＣＭ１は、入力側に流れる電流Ｉ１をミラーして出力側に電流Ｉ２を生成する。カレントミラー部ＣＭ２は、入力側に流れる電流Ｉ２をミラーして出力側に電流Ｉ３を生成する。カレントミラー部ＣＭ３は、入力側に流れる電流Ｉ３をミラーして出力側に調光電流Ｉｄを生成する。なお、カレントミラー部ＣＭ１〜ＣＭ３のミラー比がいずれも１である場合、Ｉ１＝Ｉ２＝Ｉ３＝Ｉｄとなる。ここで、電流Ｉ１（＝Ｉｄ）は、カレントミラー部ＣＭ１に印加される定電圧ＶＲＥＧ（例えば５．６Ｖ）と第１調光電圧Ｖｄ１（例えば０Ｖ〜５Ｖ）との差電圧に応じて変動する。より具体的に述べると、第１調光電圧Ｖｄ１が低いほど電流Ｉ１は大きくなり、逆に、第１調光電圧Ｖｄ１が高いほど電流Ｉ１は小さくなる。すなわち、カレントミラー部ＣＭ１〜ＣＭ３は、第１調光電圧Ｖｄ１を調光電流Ｉｄに変換する電圧／電流変換部として機能する。
【００６９】
抵抗Ｒ２２は、半導体装置ＸのＬＤ端子（第２調光電圧Ｖｄ２の印加端）とＧＮＤ端子（変動電圧Ｖａの印加端）との間に接続されて調光電流Ｉｄが流される。その結果、半導体装置ＸのＬＤ端子には、変動電圧Ｖａを基準として調光電流Ｉｄに応じた第２調光電圧Ｖｄ２が印加される。すなわち、抵抗Ｒ２２は、調光電流Ｉｄを第２調光電圧Ｖｄ２に変換する電流／電圧変換部として機能する。
【００７０】
半導体装置Ｘは、駆動電流検出電圧Ｖｍと参照電圧Ｖｒｅｆを一致させるようにゲート電圧Ｖｇを生成する際、駆動電流検出電圧Ｖｍまたは参照電圧Ｖｒｅｆに対して、ＬＤ端子に印加される第２調光電圧Ｖｄ２に応じたオフセットを与える。この第２調光電圧Ｖｄ２は、第１調光電圧Ｖｄ１を反映しつつ、変動電圧Ｖａを基準として設定された電圧である。従って、半導体装置Ｘでは、第２調光電圧Ｖｄ２（延いては第１調光電圧Ｖｄ１）に応じたＬＥＤランプ１のリニア調光制御を行うことが可能となる。
【００７１】
図６Ａは、第２調光電圧Ｖｄ２と駆動電流ＩＬＥＤとの相関図であり、図６Ｂは、第１調光電圧Ｖｄ１と第２調光電圧Ｖｄ２との相関図である。図６Ａで示したように、第２調光電圧Ｖｄ２が閾値電圧Ｖｘよりも高い領域では、駆動電流ＩＬＥＤが第２調光電圧Ｖｄ２に応じて線形的に可変制御される。また、第２調光電圧Ｖｄ２が閾値電圧Ｖｘよりも低く閾値電圧Ｖｙ（ただしＶｙ＜Ｖｘ）よりも高い領域では、駆動電流ＩＬＥＤが第２調光電圧Ｖｄ２に応じて非線形的に可変制御される。
【００７２】
一方、第２調光電圧Ｖｄ２が閾値電圧Ｖｙよりも低い領域では、半導体装置Ｘによる第２調光電圧Ｖｄ２に応じた駆動電流ＩＬＥＤの可変制御が不能となり、駆動電流ＩＬＥＤとして第２調光電圧Ｖｄ２に依存しない微小な電流（数ｍＡ程度）が流れ続ける状態となる。このような状態では、ＤＣ／ＤＣ変換回路２４の出力キャパシタ（電解キャパシタ）に残留する電荷によってＬＥＤモジュール１０が意図しない輝度で発光する現象（いわゆるフラッシュ現象）を生じるおそれがある。
【００７３】
そこで、調光電圧変換部Ｚは、第１調光電圧Ｖｄ１がＬＥＤ調光用の電圧範囲内（０≦Ｖｄ１≦Ｖａ）に設定されている限り、第２調光電圧Ｖｄ２が閾値電圧Ｖｙを下回らないように設計されている（図６Ａ及び図６Ｂの白抜き矢印を参照）。すなわち、第２調光電圧Ｖｄ２に設定されたＬＥＤ調光用の電圧範囲（図６Ａの白抜き矢印を参照）は、その下限値Ｖｚが閾値電圧Ｖｙよりも高い電圧値に設定されている。このような設定を行うことにより、ＬＥＤモジュール１０のフラッシュ現象を回避することが可能となる。なお、上記の設定は、電流Ｉｄの電流値や抵抗Ｒ２２の抵抗値を調整することにより実現される。
【００７４】
また、調光電圧変換部Ｚは、第１調光電圧Ｖｄ１がＬＥＤオフ用の電圧値Ｖｂ（ただしＶｂ＞Ｖａ）に設定されたときに、第２調光電圧Ｖｄ２がゼロ値となるように設計されている（図６Ａ及び図６Ｂの黒塗り矢印を参照）。このような設定を行うことにより、第１調光電圧Ｖｄ１を用いてＬＥＤモジュール１０の調光制御を行うだけでなく、第１調光電圧Ｖｄ１を用いてＬＥＤモジュール１０の消灯制御を行うことも可能となる。
【００７５】
ただし、ＤＣ／ＤＣ変換回路２４の出力キャパシタが十分に放電されていない状態で第２調光電圧Ｖｄ２がゼロ値に設定されると、先に述べたＬＥＤモジュール１０のフラッシュ現象が生じてしまう。また、第２調光電圧Ｖｄ２がゼロ値に設定された状態であっても駆動電流ＩＬＥＤとして微小電流（１ｍＡ程度）が流れ続けるので、第１調光電圧Ｖｄ１のみを用いてＬＥＤモジュール１０を完全に消灯させることはできない。
【００７６】
上記の問題を解決する構成について、図７を参照しながら具体的に説明する。図７は、ＬＥＤランプ１の一変形例を示すブロック図である。本構成例のＬＥＤランプ１は、先出のＬＥＤモジュール１０、ＬＥＤ電源モジュール２０、制御電源モジュール４０、及び、リモコン信号受信モジュール５０を有するほか、さらに、商用交流電源３０（交流入力電圧Ｖｉｎの印加端）とＬＥＤ電源モジュール２０との間を導通／遮断するリレースイッチ７０を有する。
【００７７】
また、本構成例のＬＥＤランプ１において、制御電源モジュール４０は、マイコン４１と、マイコン用電源４２と、出力キャパシタ４３とを含む。マイコン４１は、リモコン信号受信モジュール５０におけるリモコン信号の受信動作やＬＥＤ電源モジュール２０に供給される第１調光電圧Ｖｄ１の生成動作を制御する。マイコン用電源４２は、交流入力電圧Ｖｉｎを直流電圧に変換してマイコン４１に供給する。出力キャパシタ４３は、マイコン用電源４２の出力端に接続されて、マイコン４１に供給される直流電圧を安定化する。
【００７８】
上記構成から成る制御電源モジュール４０において、マイコン４１は、リモコン信号に応じてＬＥＤモジュール１０をオフする際、第２調光電圧Ｖｄ２をＬＥＤ調光用の下限値Ｖｚまで引き下げてから第２調光電圧Ｖｄ２をゼロ値とするように第１調光電圧Ｖｄ１を可変制御した後、スイッチ制御信号ＳＷを用いてリレースイッチ７０をオフさせる。
【００７９】
このような構成とすることにより、第２調光電圧Ｖｄ２をＬＥＤ調光用の下限値Ｖｚまで引き下げている間に、駆動電流ＩＬＥＤを流してＤＣ／ＤＣ変換回路２４の出力キャパシタを放電させることができるので、ＬＥＤモジュール１０の消灯時におけるフラッシュ現象を未然に回避することが可能となる。また、最終的にはリレースイッチ７０がオフされて、ＬＥＤ電源モジュール２０への電力供給が遮断されるので、駆動電流ＩＬＥＤをゼロ値として、ＬＥＤモジュール１０を完全に消灯することが可能となる。
【００８０】
なお、商用交流電源３０の遮断時において、マイコン４１がＬＥＤ電源モジュール２０よりも先にシャットダウンすると、第１調光電圧Ｖｄ１が不定となって、先に述べたＬＥＤモジュール１０のフラッシュ現象を生じるおそれがある。これを回避するためには、マイコン４１がＬＥＤ電源モジュール２０よりも先にシャットダウンしないように、出力キャパシタ４３に十分に大きい容量値を持たせてマイコン４１への電力供給を維持することが重要である。
【００８１】
＜ＤＣ／ＤＣ変換回路＞
図１で示したＤＣ／ＤＣ変換回路２４には、変圧手段としてトランスが含まれている。そして、ＤＣ／ＤＣ変換回路２４の薄型化（延いては、電源モジュール２０の薄型化）を実現するためには、このトランスをできるだけ薄いサイズ（高さ１８ｍｍ以下）に形成することが重要である。
【００８２】
図８は、第１構成例のトランス１００（従来の汎用高出力トランス）の正面図である。トランス１００は、プリント配線基板ＰＣＢに対して垂直に伸びる端子ピン１０１及び巻線端末巻付ピン１０２を有する。巻線端末巻付ピン１０２は、巻線端末を巻き付けるために所定の長さが必要である。そのため、プリント配線基板ＰＣＢの表面を起点としたトランス１００の高さは、巻線端末巻付けピン１０２の長さを加味して２５ｍｍ程度となる。従って、ＤＣ／ＤＣ変換回路２４の変圧手段としてトランス１００を用いた場合には、電源モジュール２０の薄型化を実現することができない。
【００８３】
なお、従来より、汎用高出力トランスのほかに、汎用薄型トランス（高さ１２ｍｍ）も実用化されているが、この汎用薄型トランスは実効断面積が小さいので、発熱評価をパスすることが難しい。そのため、ＤＣ／ＤＣ変換回路２４の変圧手段として用いられるトランスでは、実効断面積を従来の汎用高出力トランスと同サイズに維持したまま、その高さを低くすることが望まれる。
【００８４】
図９〜図１５は、それぞれ、第２構成例のトランス２００の上面図、正面図、側面図、下面図、下面から見たときの断面図、正面から見たときの断面図、及び、結線図である。各図に示したように、トランス２００は、ギャップレスコア２０１Ａと、ギャップコア２０１Ｂと、ケース部２０２Ａと、基台部２０２Ｂと、スペーサ部２０２Ｃと、端子ピン２０３Ａと、巻線端末巻付ピン２０３Ｂと、一次側巻線２０４と、二次側巻線２０５と、絶縁テープ２０６と、コアテープ２０７と、沿面テープ２０８と、接着剤２０９を含む。
【００８５】
ギャップレスコア２０１Ａ及びギャップコア２０１Ｂは、トランス２００の磁心を形成する部材である。ギャップレスコア２０１Ａ及びギャップコア２０１Ｂとしては、例えばフェライトコアを用いることができる。
【００８６】
ケース部２０２Ａ、基台部２０２Ｂ、及び、スペーサ部２０２Ｃは、トランス２００のボビンを形成する部材である。これらの部材は、例えばフェノール樹脂によって一体的に成形されている（図１０、図１４を参照）。ケース部２０２Ａは、一次側巻線２０４や二次側巻線２０５を収納する部材である。なお、ケース部２０２Ａは、ギャップレスコア２０１Ａに対して面一となるように配置されており、ギャップコア２０１Ｂとケース部２０２Ａとの間には隙間が設けられている（図１３を参照）。基台部２０２Ｂは、端子ピン２０３Ａや巻線端末巻付ピン２０３Ｂを担持する部材である。スペーサ部２０２Ｃは、基台部２０２Ｂの底面からプリント配線基板ＰＣＢ側に突出された部材である。スペーサ部２０２Ｃを有する構成であれば、トランス２００をプリント配線基板ＰＣＢに搭載する際、端子ピン２０３Ａの根元に対するダメージを軽減することができる。
【００８７】
端子ピン２０３Ａは、トランス２００とプリント配線基板ＰＣＢとの間を電気的に接続するための部材である。端子ピン２０３Ａは、基台部２０２Ｂの底面からプリント配線基板ＰＣＢに対して垂直に伸びる方向に突出されている（図１０、図１１、図１２、図１３を参照）。端子ピン２０３Ａとしては、例えば銅メッキピンを用いることができる。
【００８８】
巻線端末巻付ピン２０３Ｂは、一次側巻線２０４及び二次側巻線２０５の各巻線端末ＷＴを巻き付けて半田付けするための部材である。巻線端末巻付けピン２０３Ｂは、基台部２０２Ｂの側面からプリント配線基板ＰＣＢに対して水平に伸びる方向に突出されている（図９、図１０、図１１、図１２、図１４を参照）。巻線端末巻付ピン２０３Ｂとしては端子ピン２０３Ａと同様、例えば銅メッキピンを用いることができる。このような構成を採用した第２構成例のトランス２００であれば、その実効断面積を第１構成例のトランス１００と同サイズに維持したまま、その高さを１３ｍｍ程度にまで縮めることができる。
【００８９】
巻線端末ＷＴは、基台部２０３Ｂの側面に形成された溝部ＳＬを介して基台部２０３Ｂの外側に引き出された後、巻線端末巻付ピン２０３Ｂの上側を起点として巻き付けられている（図１１、図１２を参照）。このような構成とすることにより、半田付けに際して一次側巻線２０４及び二次側巻線２０５に加わる負荷を低減することが可能となる。なお、巻線端末ＷＴの巻付けは、１回以上とすることが望ましい。
【００９０】
なお、端子ピン２０３Ａと巻線端末巻付ピン２０３Ｂは、Ｌ字状の導電性部材として一体的に成形することが望ましい（図１４を参照）。ただし、端子ピン２０３Ａと巻線端末巻付ピン２０３Ｂを別部材として用意し、互いを導電性部材によって電気的に接続する構成としても構わない。
【００９１】
また、端子ピン２０３Ａと巻線端末巻付ピン２０３Ｂは、それぞれ、基台部２０２Ｂの両側面に７本ずつ等間隔で設けられている（各図中の丸付き数字の１〜１４を参照）。ただし、５番ピンはカットされている。
【００９２】
一次側巻線２０４及び二次側巻線２０５は、いずれもトランス２００のコイル（図１５のＮＰ１、ＮＰ２、ＮＤ、ＮＳ１、及び、ＮＳ２）を形成する部材である。一次側巻線２０４及び二次側巻線２０５としては、例えばポリウレタン銅線を用いることができる。一次側巻線２０４は、コイルＮＰ１、ＮＰ２、及び、ＮＤに相当し、二次側巻線２０５は、コイルＮＳ１及びＮＳ２に相当する。一次側巻線２０４及び二次側巻線２０５は、基台部２０２Ｂの底面から巻付けが出ないように形成することが望ましい（図１４を参照）。
【００９３】
絶縁テープ２０６は、コイル間／層間を絶縁する部材である。絶縁テープ２０６としては、例えばポリエステルフィルムを用いることができる（図１４を参照）。
【００９４】
コアテープ２０７は、ギャップレスコア２０１Ａとギャップコア２０１Ｂを外側から締め付ける部材である（図１０、図１１、図１４を参照）。コアテープ２０７としては、例えばポリエステルフィルムを用いることができる。なお、コアテープ２０７による締付けは、２回とすることが望ましい。
【００９５】
沿面テープ２０８は、一次側巻線２０４と二次側巻線２０５を被覆する部材である（図１４を参照）。沿面テープ２０８としては、例えばポリエステルフィルム／ポリエステル不織布を用いることができる。
【００９６】
接着剤２０９は、コア合わせ面とコイル（より正確には沿面テープ２０８）との間を計４か所で固定する部材である（図９、図１０、図１２を参照）。
【００９７】
＜その他の変形例＞
なお、上記の実施形態では、シーリングライトの光源として用いられるＬＥＤランプに本発明を適用した構成を例に挙げて説明を行ったが、本発明の適用対象はこれに限定されるものではなく、ＬＥＤランプの小型化や薄型化（延いては、電源モジュールの小型化や薄型化）を実現するための技術として、広く適用することが可能である。
【００９８】
また、本明細書中に開示されている種々の技術的特徴は、上記実施形態のほか、その技術的創作の主旨を逸脱しない範囲で種々の変更を加えることが可能である。すなわち、上記実施形態は、全ての点で例示であって制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００９９】
本発明に係るＬＥＤランプは、例えば、シーリングライトなどの光源として利用することが可能である。
【符号の説明】
【０１００】
１    ＬＥＤランプ
１０、１０Ｗ、１０Ｙ    ＬＥＤモジュール
２０、２０Ｗ、２０Ｙ    ＬＥＤ電源モジュール
２１    フィルタ回路
２２    ＡＣ／ＤＣ変換回路
２３    力率改善回路（ＰＦＣ回路）
２４    ＤＣ／ＤＣ変換回路
２５    駆動電流生成回路
２６    入力コネクタ
２７    出力コネクタ
２８    調光コネクタ
３０    商用交流電源
４０    制御電源モジュール
４１    マイコン
４２    マイコン用電源（ＡＣ／ＤＣ変換回路）
４３    出力キャパシタ
５０    リモコン信号受信モジュール
６０    カバー
７０    リレースイッチ
Ａ    半導体装置
Ｎ１１    Ｎチャネル型ＭＯＳ電界効果トランジスタ
Ｑ１１    ｎｐｎ型バイポーラトランジスタ
Ｒ１１〜Ｒ１３    抵抗
Ｃ１１、Ｃ１２    キャパシタ
Ｄ１１〜Ｄ１３    ダイオード
ＺＤ    ツェナダイオード
ＴＲ    トランス
Ｌ１１    一次巻線
Ｌ１２    二次巻線
Ｘ    半導体装置
Ｙ    駆動電流生成部
Ｚ    調光電圧変換部
Ｎ２１    Ｎチャネル型ＭＯＳ電界効果トランジスタ
Ｒ２１、Ｒ２２    抵抗
Ｃ２１    キャパシタ
Ｄ２１、Ｄ２２    ダイオード
ＣＭ１〜ＣＭ３    カレントミラー部
１００    トランス
１０１    端子ピン
１０２    巻線端末巻付ピン
２００    トランス
２０１Ａ    ギャップレスコア
２０１Ｂ    キャップコア
２０２Ａ    ケース部
２０２Ｂ    基台部
２０２Ｃ    スペーサ部
２０３Ａ    端子ピン
２０３Ｂ    巻線端末巻付ピン
２０４    一次側巻線（ＮＰ１、ＮＰ２、ＮＤ）
２０５    二次側巻線（ＮＳ１、ＮＳ２）
２０６    絶縁テープ
２０７    コアテープ
２０８    沿面テープ
２０９    接着剤
ＰＣＢ    プリント配線基板
ＷＴ    巻線端末
ＳＬ    溝部
【図１】
0005972555.tif 000002
【図２】
0005972555.tif 000003
【図３】
0005972555.tif 000004
【図４】
0005972555.tif 000005
【図５】
0005972555.tif 000006
【図６Ａ】
0005972555.tif 000007
【図６Ｂ】
0005972555.tif 000008
【図７】
0005972555.tif 000009
【図８】
0005972555.tif 000010
【図９】
0005972555.tif 000011
【図１０】
0005972555.tif 000012
【図１１】
0005972555.tif 000013
【図１２】
0005972555.tif 000014
【図１３】
0005972555.tif 000015
【図１４】
0005972555.tif 000016
【図１５】
0005972555.tif 000017